(57)【要約】  本発明は、新規な液体組成物であって、ａ）表面、特に布地又は硬質表面の処理を意図した液体ベース；ｂ）Ｒ１及びＲ２が、別々に且つ互いに独立して、水素原子、ハロゲン原子、好ましくは塩素、Ｃ１〜Ｃ４直鎖状又は分枝鎖状のアルキル基、アミノ基又はベンジルアミノ基を表すか；あるいは、Ｒ１及びＲ２が一緒になってフェニル環又はピリジン環を表し、場合により１〜４個のＣ１〜Ｃ４直鎖状又は分枝鎖状のアルキル基又はアルケニル基及び／又は１〜２個のハロゲン原子、好ましくは塩素原子で置換され；且つＲ３が水素原子、アルカリ金属原子、特にＮａ又はＫ、場合により１個又は２個のハロゲン原子及び／又は１つ又は２つのメチル、トリフルオロメチル、メトキシ又はアミノ基で置換されたフェニル基又はベンジル基、アミン基、又は場合により１個又は２個の窒素、酸素又はハロゲン原子で置換されたＣ１〜Ｃ８不飽和の、直鎖状の、分枝鎖状の又は環状の炭化水素基を表す式の少なくとも１種の硫黄含有化合物；ｃ）少なくとも１種の硫黄含有プロフレグランス化合物；及びｄ）１種以上の芳香共成分を含み、１〜８の間のｐＨを有する、前記組成物に関する。前記組成物は、布地及び家庭用表面の処理方法において、それらにフレッシュで、香気安定性の長期間持続するフレグランスを付与するために、有利に使用され得る。それらの組成物は、瓶詰めの液体製品の保存期間と関係なく、悪臭のノートなしに、瓶の外で安定な香気も示す。
2014511414.tif 000002
【特許請求の範囲】
【請求項１】
ａ）表面、特に布地又は硬質表面の処理を意図した液体ベース；
ｂ）以下の式
【化１】
2014511414.tif 000008
（式中、Ｒ１及びＲ２は、別々に且つ互いに独立して、水素原子、ハロゲン原子、好ましくは塩素、Ｃ１〜Ｃ４直鎖状又は分枝鎖状のアルキル基、アミノ基又はベンジルアミノ基を表すか；あるいは、Ｒ１及びＲ２は一緒になってフェニル環又はピリジン環を表し、場合により１〜４個のＣ１〜Ｃ４直鎖状又は分枝鎖状のアルキル基又はアルケニル基及び／又は１〜２個のハロゲン原子、好ましくは塩素原子で置換され；且つ
Ｒ３は水素原子、アルカリ金属原子、特にＮａ又はＫ、場合により１個又は２個のハロゲン原子及び／又は１つ又は２つのメチル、トリフルオロメチル、メトキシ又はアミノ基で置換されたフェニル基又はベンジル基、アミン基、又は場合により１個又は２個の窒素、酸素又はハロゲン原子で置換されたＣ１〜Ｃ８不飽和の、直鎖状の、分枝鎖状の又は環状の炭化水素基を表す）
の少なくとも１種の硫黄含有化合物；
ｃ）少なくとも１種の硫黄含有プロフレグランス化合物；及び
ｄ）１種以上の芳香共成分；
を含む液体組成物であって、１〜８の間のｐＨを有する、前記組成物。
【請求項２】
成分ａ）〜ｄ）の混合物からなることを特徴とする、請求項１に記載の組成物。
【請求項３】
成分ａ）が液体柔軟剤ベース又は万能洗剤ベースであることを特徴とする、請求項１又は２に記載の組成物。
【請求項４】
６より低いｐＨを特徴とする、請求項１又は２に記載の組成物。
【請求項５】
成分ａ）が組成物の全質量の少なくとも９０質量％、場合により９９．５質量％までを表すことを特徴とする、請求項１から４までのいずれか１項に記載の組成物。
【請求項６】
前記組成物が、Ｒ１及びＲ２が、別個に且つ互いに独立して、水素原子、塩素原子又はメチル基を表すか、あるいは、Ｒ１及びＲ２が一緒になってフェニル環を表し、且つＲ３が水素原子又はメチル基を表す式（Ｉ）の成分ｂ）を含むことを特徴とする、請求項１から５までのいずれか１項に記載の組成物。
【請求項７】
成分ｂ）が１，２−ベンゾイソチアゾール−３（２Ｈ）−オン、４−又は５−クロロ−２−メチルイソチアゾール−３（２Ｈ）−オン及び２−メチルイソチアゾール−３（２Ｈ）−オンからなるイソチアゾロンの群から選択され、且つ好ましくは１，２−ベンゾイソチアゾール−３（２Ｈ）−オンであることを特徴とする、請求項６に記載の組成物。
【請求項８】
成分ｂ）が組成物の全質量の０．０００１質量％以上の濃度で存在し、且つ５質量％までを形成し得ることを特徴とする、請求項６又は７に記載の組成物。
【請求項９】
成分ｂ）が組成物の全質量の０．００１〜３質量％の間の濃度で、好ましくは組成物の全質量に対して、０．００５〜０．１質量％の間の濃度で存在することを特徴とする、請求項８に記載の組成物。
【請求項１０】
成分ｃ）が以下の式
【化２】
2014511414.tif 000009
（式中、
Ｙは、それらの可能な異性体形のうちいずれか１つの形で、以下に示した基（Ｙ−１）〜（Ｙ−７）
【化３】
2014511414.tif 000010
の群の中から選択される基を表し、波線はＹ−Ｓ結合の位置を表し且つ点線は単結合又は二重結合の位置を表し；
Ｇは、２〜１５個の炭素原子を有する直鎖状又は分枝鎖状のアルキル基又はアルケニル基から誘導され、場合により−ＯＲ４、−ＮＲ４２、−ＣＯＯＲ４及びＲ４基からなる群から選択される１つ以上の基で置換され、その際、Ｒ４は水素原子又はＣ１〜Ｃ６アルキル又はアルケニル基を表す、二価又は三価の基を表し；且つ
Ｑは水素原子、−Ｓ−Ｙ基又は−ＮＲ５−Ｙ基を表し、Ｙは上のように規定され且つＲ５は水素原子又はメチル基を表す）
のうち少なくとも１種の化合物であることを特徴とする、請求項１から９までのいずれか１項に記載の組成物。
【請求項１１】
成分ｃ）が式（ＩＩ）の化合物であり、その際、Ｇが、２〜１５個の炭素原子を有する直鎖状又は分枝鎖状のアルキル基又はアルケニル基から誘導され、場合によりＲ４が請求項１０に規定される−ＣＯＯＲ４基で置換される、二価の基であることを特徴とする、請求項１０に記載の組成物。
【請求項１２】
成分ｃ）が式（ＩＩ）の化合物であり、その際、Ｇが、８〜１５個の炭素原子を有する直鎖状のアルキル基から誘導される二価の基、又はＲ４が水素原子、メチル基又はエチル基である−ＣＨ２ＣＨ（ＣＯＯＲ４）基であることを特徴とする、請求項１０に記載の組成物。
【請求項１３】
成分ｃ）が、式（ＩＩ）の化合物であり、その際、Ｙが、請求項１０に規定されるＹ−１、Ｙ−２又はＹ−３基のうちいずれか１つであることを特徴とする、請求項１０から１２までのいずれか１項に記載の組成物。
【請求項１４】
プロフレグランス成分が、メチル又はエチル２−（４−オキソ−４−（２，６，６−トリメチルシクロヘキサ−３−エン−１−イル）ブタン−２−イルアミノ）−３−（４−オキソ−４−（２，６，６−トリメチルシクロヘキサ−３−エン−１−イル）ブタン−２−イルチオ）プロパネート、メチル又はエチル２−（４−オキソ−４−（２，６，６−トリメチルシクロヘキサ−２−エン−１−イル）ブタン−２−イルアミノ）−３−（４−オキソ−４−（２，６，６−トリメチルシクロヘキサ−２−エン−１−イル）ブタン−２−イルチオ）プロパネート、メチル又はエチル２−（２−オキソ−４−（２，６，６−トリメチルシクロヘキサ−１−エン−１−イル）ブタン−４−イルアミノ）−３−（２−オキソ−４−（２，６，６−トリメチルシクロヘキサ−１−エン−１−イル）ブタン−４−イルチオ）プロパネート、メチル又はエチル２−（２−オキソ−４−（２，６，６−トリメチルシクロヘキサ−２−エン−１−イル）ブタン−４−イルアミノ）−３−（２−オキソ−４−（２，６，６−トリメチルシクロヘキサ−２−エン−１−イル）ブタン−４−イルチオ）プロパネート、３−（ドデシルチオ）−１−（２，６，６−トリメチルシクロヘキサ−３−エン−１−イル）−１−ブタノン、３−（ドデシルチオ）−１−（２，６，６−トリメチルシクロヘキサ−２−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン、２−ドデシルスルファニル−５−メチル−ヘプタン−４−オン、２−シクロヘキシル−１−ドデシルスルファニル−ヘプト−６−エン−３−オン及び３−（ドデシルチオ）−５−イソプロペニル−２−メチルシクロヘキサノンからなる群から選択されることを特徴とする、請求項１０から１３までのいずれか１項に記載の組成物。
【請求項１５】
プロフレグランス成分が、３−（ドデシルチオ）−１−（２，６，６−トリメチルシクロヘキサ−３−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン及び３−（ドデシルチオ）−５−イソプロペニル−２−メチルシクロヘキサノンからなる群から選択され、且つ好ましくは３−（ドデシルチオ）−１−（２，６，６−トリメチルシクロヘキサ−３−エン−１−イル）−１−ブタノンであることを特徴とする、請求項１４に記載の組成物。
【請求項１６】
プロフレグランス成分ｃ）が組成物の全質量の少なくとも０．０００１質量％で存在することを特徴とする、請求項１０から１５までのいずれか１項に記載の組成物。
【請求項１７】
成分ｄ）が、組成物の全質量に対して、少なくとも０．０１質量％、及び３質量％までの濃度で存在することを特徴とする、請求項１から１６までのいずれか１項に記載の組成物。
【請求項１８】
身体及び家庭用布地などの表面を、処理、特に洗浄及び／又は柔軟化するための方法であって、前記表面を、一般的に知られた方法で、請求項１から１７までのいずれか１項に記載の組成物を用いて処理することを特徴とする、前記方法。
【発明の詳細な説明】
【技術分野】
【０００１】
技術分野
本発明は、従来の着香消費者製品における香料及び芳香成分の適用に関する。更に詳細には、本発明は、４つの異なる種類からの成分の組み合わせを含む組成物に関し、該組成物は、長期持続性の香気及び良好なフレッシュさをテキスタイル又は硬質表面などの表面に付与し、さらには瓶の外で及び長期保存後に改善された香気安定性を有することが可能である。
【０００２】
背景
消費者は、清浄で且つ長期持続性のフレッシュな香りの印象を、それらのテキスタイル及び洗浄又は柔軟製品で処理した他の表面の上に残す製品を求めている。この効果を達成するために、幾つかの技術が過去に使用されており、特に、フレグランスが製品を加工する際に導入前に封入されるか、又は専門家がいわゆるプロフレグランス、即ち、通常、それ自体は香気を付与しないが、一定期間、使用条件下で香気を放出することが可能な分子を使用してきた。
【０００３】
結果として、消費者の知覚及び洗浄剤の嗜好性は、瓶を開いた時に拡散する香気によって及び該洗浄剤が処理した表面に付与することが可能な残留香気によって決定づけることができる。
【０００４】
プロフレグランスを含有する洗剤及び／又は布地用柔軟剤で処理したテキスタイルのフレッシュさ及び清浄効果を長引かせるための従来から公知の溶液の中では、特に、例えば、米国特許第７，７２３，２８６号又はＷＯ２００８／１５４７６５号に記載された化合物及び組成物が挙げられる。これらの従来技術の文献は、布地又は他の処理表面に香気を付与する１種以上の成分を放出することが可能な化合物を記載しており、該表面は、かかる化合物を含む消費者製品の作用を受けている。
【０００５】
本発明は、製品又は組成物、即ち、布地用柔軟剤及び万能洗剤を提供することによって、新規で且つ有利な貢献をこの分野にもたらし、その際、上に引用された従来技術の文献に記載された化合物は、製品の香気の印象を安定させることが可能であり且つ長期にわたり清浄で且つフレッシュな香気を布地又はかかる製品で処理した他の表面に付与するためにその有効性を改善することが可能な特定の試薬と組み合わされる。
【０００６】
発明の説明
従って、本発明の対象は、液体組成物であって、
ａ）表面、特に布地又は硬質表面の処理を意図した液体ベース；
ｂ）以下の式
【化１】
2014511414.tif 000003
（式中、Ｒ１及びＲ２は、別々に且つ互いに独立して、水素原子、ハロゲン原子、好ましくは塩素、Ｃ１〜Ｃ４直鎖状又は分枝鎖状のアルキル基、アミノ基又はベンジルアミノ基を表すか；あるいは、Ｒ１及びＲ２は一緒になってフェニル環又はピリジン環を表し、場合により１〜４個のＣ１〜Ｃ４直鎖状又は分枝鎖状のアルキル基又はアルケニル基及び／又は１〜２個のハロゲン原子、好ましくは塩素原子で置換され；且つ
Ｒ３は水素原子、アルカリ金属原子、特にＮａ又はＫ、場合により１個又は２個のハロゲン原子及び／又は１つ又は２つのメチル、トリフルオロメチル、メトキシ又はアミノ基で置換されたフェニル基又はベンジル基、アミン基、又は場合により１個又は２個の窒素、酸素又はハロゲン原子で置換されたＣ１〜Ｃ８不飽和の、直鎖状の、分枝鎖状の又は環状の炭化水素基を表す）
の少なくとも１種の硫黄含有化合物；
ｃ）少なくとも１種の硫黄含有プロフレグランス化合物；及び
ｄ）１種以上の芳香共成分；
を含み、且つ１〜８の間のｐＨを有する、該液体組成物、更に詳細には、液体布地用柔軟剤又は万能洗剤である。
【０００７】
組成物の特別な実施態様によれば、該組成物は上で挙げられた成分の混合物からなる。「からなる」組成物とは、本願明細書では、取るに足らない、即ち、組成物の質量に対して２質量％以下の、好ましくは１質量％以下の任意の他の成分と一緒に、上で挙げられた４つの成分を本質的に含有する組成物のことであり、その際、他の成分は洗浄、柔軟化及び／又は芳香特性並びに組成物の活性に大きな影響を及ぼさないことが理解されている。
【０００８】
上で挙げられた通り、本発明の組成物は１以上のｐＨによって特徴付けられている。本発明の目的のために、前記ｐＨは８を上回らず、６より低いｐＨを有する液体組成物がより好ましい。
【０００９】
本発明の全ての実施態様では、上で規定される成分ａ）は、通常、ホームケア消費者製品、特に、布地用洗剤又は柔軟剤及び万能洗浄剤でよく見られる成分を含む液体ベースである。
【００１０】
かかる液体ベースの主な機能成分は、多様な性質の布地及び／又はテキスタイル、例えば、衣類、カーテン用生地、カーペット及び家具用生地等を洗浄及び／又は柔軟にすることが可能な界面活性剤及び／又は柔軟剤成分、又は他の家庭内の表面、及び通常、多量の水又は水性の溶媒で使用される成分である。従って、これらは、水の量が通常、液体ベースの５０〜９９質量％の間である配合物である。「ベース」との用語は、本願明細書では、本発明による組成物の主成分の意味で使用されており、塩基性のｐＨを有する液体の意味ではない。
【００１１】
かかる布地用洗浄及び／又は柔軟ベースの更に詳細な説明は、本願明細書では保証されず、現在の液体ベースの多くの説明は、洗浄剤／布地用柔軟剤の特許及び他の関連文献、例えば、Louis Ho Tan Tai, "Detergents et Produits de Soins Corporels, 第1章〜第7章、特にDunod, Paris, 1999年の教本、又は液体柔軟剤及び万能洗剤配合物の技術に関連する他の類似の教本及び／又は更に最新の教本に見出され得る。最新の特許公報、例えば、ＷＯ２０１０／１０５８７３号も引用されており、同程度に、かかる液体製品、特に第９頁〜第２１頁の、香料以外の、典型的な現在の成分を記載している。当然ながら、液体洗剤及び／又は布地用柔軟剤ベースの多くの他の例が文献に見出され得る。任意のかかる液体ベース、即ち、液体布地用洗剤又はコンディショナー及び／又は万能洗剤は、本願明細書で記載された組成物において使用され得る。
【００１２】
成分ａ）は、通常、本発明による組成物の全質量の、少なくとも９０質量％を表し、且つ９９．９５質量％までを表してよく、典型的には本発明の組成物の全質量の９５〜９９．９質量％、更に好ましくは製品の全質量の９８質量％〜９９．８質量％を表す。
【００１３】
本発明による組成物の成分ｂ）は上で規定される式（Ｉ）の硫黄含有化合物である。本発明の全ての組成物中の式（Ｉ）の好ましい化合物は、Ｒ１及びＲ２が、別々に且つ互いに独立して、水素原子、塩素原子又はメチル基を表す化合物であるか、あるいはＲ１及びＲ２が一緒になってフェニル環を表し、且つＲ３が水素原子又はメチル基を表す化合物である。
【００１４】
本発明による可能な成分ａ）、ｃ）及びｄ）のいずれか１つと成分ｂ）との特別な組み合わせによれば、ｂ）は好ましくは、１，２−ベンズイソチアゾール−３（２Ｈ）−オン、４−又は５−クロロ−２−メチルイソチアゾール−３（２Ｈ）−オン又は２−メチルイソチアゾール−３（２Ｈ）−オンからなるイソチアゾロンの群から選択される。更に一層好ましくは、成分ｂ）は５−クロロ−２−メチルイソチアゾール−３（２Ｈ）−オン又は１，２−ベンズイソチアゾール−３（２Ｈ）−オン、最も好ましくは１，２−ベンズイソチアゾール−３（２Ｈ）−オンである。
【００１５】
成分ｂ）は、組成物の全質量に対して、０．０００１％以上の質量濃度で本発明の組成物中に存在する。これは組成物の全質量の５％までを形成し得る。本発明の更に好ましい実施態様によれば、組成物中の式（Ｉ）の硫黄含有化合物の濃度は、全質量の０．００１〜３％の間であり、組成物の全質量の、０．００５〜０．１質量％の間の成分ｂ）の濃度で、本発明の液体組成物の更に好ましい実施態様である。
【００１６】
本発明の組成物は、それらの成分ｃ）としてプロフレグランスを含有する。「プロフレグランス」とは、本願明細書では、上で引用される先行技術、即ち、米国特許第７，７２３，２８６号及び／又はＷＯ２００８／１５４７６５号に記載された１種以上の化合物である成分であることが理解されている。かかる化合物は、それ自体が着臭剤ではないが、使用／適用条件下で、即ち、本発明による組成物の適用時にフレグランス分子を放出する能力を有している。組成物は、１種以上のかかる化合物を含有してよく、該化合物は、種々の異なる香気付与物質を制御して放出させ、これはたった１種のプロフレグランス化合物が使用される場合に起こるように、たった１種のフレグランス成分をゆっくりと放出する点で有利であり得る。
【００１７】
本発明の組成物にいずれか１つの特別な実施態様によれば、プロフレグランスは、以下の式
【化２】
2014511414.tif 000004
で示され、その式中、
Ｙが、ここで以下に示した基（Ｙ−１）〜（Ｙ−７）
【化３】
2014511414.tif 000005
の群の中から選択される、それらのいずれか１つの可能な異性体形の基を表し、波線はＹ−Ｓ結合の位置を表し、点線は単結合又は二重結合の位置を表し、
Ｇが２〜１５個の炭素原子を有し、場合により−ＯＲ４、−ＮＲ４２、−ＣＯＯＲ４及びＲ４基からなる群から選択される１つ以上の基で置換され、その際、Ｒ４が水素原子又はＣ１〜Ｃ６アルキル基又はアルケニル基を表す、直鎖状又は分枝鎖状のアルキル基又はアルケニル基から誘導される２価又は３価の基を表し、且つ
Ｑが水素原子、−Ｓ−Ｙ基又は−ＮＲ５−Ｙ基を表し、Ｙは上記のように規定され且つＲ５が水素原子又はメチル基を表す、
少なくとも１種の化合物である。
【００１８】
成分ｃ）の更に特別な実施態様によれば、プロフレグランス化学物質は、式（ＩＩ）の化合物であり、その際、Ｙは上記のように規定され、Ｇは、２〜１５個の炭素原子を有する直鎖状又は分枝鎖状のアルキル基又はアルケニル基から誘導され、場合により、Ｒ４が上記のように規定される、−ＣＯＯＲ４基によって置換される、二価の基である。更に好ましくは、Ｇは、８〜１５個の炭素原子を有する直鎖状のアルキル基から誘導される二価の基又はＲ４が水素原子又はメチル基又はエチル基である−ＣＨ２ＣＨ（ＣＯＯＲ４）基である。
【００１９】
成分ａ）、ｃ）及びｄ）が一般的に上記のように規定される、本発明の更に好ましい実施態様によれば、プロフレグランス化合物は、式（ＩＩ）の化合物であり、その際、Ｙは上で表されるＹ−１、Ｙ−２又はＹ−３基のいずれか１つであり、且つＧ及びＱは上記の実施態様のいずれか１つに規定されている。
【００２０】
本発明の組成物であって、プロフレグランス成分がメチル又はエチル２−（４−オキソ−４−（２，６，６−トリメチルシクロヘキサ−３−エン−１−イル）ブタン−２−イルアミノ）−３−（４−オキソ−４−（２，６，６−トリメチルシクロヘキサ−３−エン−１−イル）ブタン−２−イルチオ）プロパネート、メチル又はエチル２−（４−オキソ−４−（２，６，６−トリメチルシクロヘキサ−２−エン−１−イル）ブタン−２−イルアミノ）−３−（４−オキソ−４−（２，６，６−トリメチルシクロヘキサ−２−エン−１−イル）ブタン−２−イルチオ）プロパネート、メチル又はエチル２−（２−オキソ−４−（２，６，６−トリメチルシクロヘキサ−１−エン−１−イル）ブタン−４−イルアミノ）−３−（２−オキソ−４−（２，６，６−トリメチルシクロヘキサ−１−エン−１−イル）ブタン−４−イルチオ）プロパネート、メチル又はエチル２−（２−オキソ−４−（２，６，６−トリメチルシクロヘキサ−２−エン−１−イル）ブタン−４−イルアミノ）−３−（２−オキソ−４−（２，６，６−トリメチルシクロヘキサ−２−エン−１−イル）ブタン−４−イルチオ）プロパネート、３−（ドデシルチオ）−１−（２，６，６−トリメチルシクロヘキサ−３−エン−１−イル）−１−ブタノン、３−（ドデシルチオ）−１−（２，６，６−トリメチルシクロヘキサ−２−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン、２−ドデシルスルファニル−５−メチル−ヘプタン−４−オン、２−シクロヘキシル−１−ドデシルスルファニル−ヘプト−６−エン−３−オン及び３−（ドデシルチオ）−５−イソプロペニル−２−メチルシクロヘキサノンからなる群から選択され、他の全ての３成分ａ）、ｂ）及びｄ）が、引用されたそれらの可能な実施形態のいずれか１つによって、上記のように規定されている、該組成物は、本発明の目的のために最も有利であることが判明した。これらの中で、３−（ドデシルチオ）−１−（２，６，６−トリメチルシクロヘキサ−３−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン及び３−（ドデシルチオ）−５−イソプロペニル−２−メチルシクロヘキサノンが、本発明の組成物で処理した布地で得られた香気の質及び印象について調香師に最も評価された。
【００２１】
３−（ドデシルチオ）−１−（２，６，６−トリメチルシクロヘキサ−３−エン−１−イル）−１−ブタノンを含む組成物が、プロフレグランス成分として最も有利であることが判明した。
【００２２】
成分ｃ）が本発明の組成物で使用される濃度は、該組成物の質量の、少なくとも０．０００１質量％である。
【００２３】
組成物の成分ｄ）は芳香成分であり、その性質と種類はここでは更に詳細な説明を保証せず、いずれの場合にも網羅されないが、当業者は、彼らの一般的な知識に基づいて及び意図した使用又は用途及び所望の感覚刺激効果によってそれらを選択することが可能である。一般的に、これらの芳香共成分は、アルコール、アルデヒド、ケトン、エステル、エーテル、アセテート、ニトリル、テルペン炭化水素、窒素又は硫黄複素環式化合物及び精油などの化学種に属し、前記芳香共成分は天然又は合成由来であってよい。多くのこれらの共成分は、いずれの場合にも、参照テキスト、例えば、S. Arctanderによる書籍、Perfume and Flavor Chemicals, 1969, Montclair, New Jersey, USA、又はその最新の版、又は類似の他の文献、例えば、H. Surburg, J. Panten, Common Fragrance and Flavor Materials -Preparation, Properties and Uses, 第5版, Wiley- VCH, Weinheim, 2006、並びに香料分野の豊富な特許文献に列記されている。前記共成分が、多様な種類の芳香化合物を制御された方法で放出することで知られた化合物であってもよいことも理解されている。
【００２４】
本発明の液体組成物の任意の実施態様によれば、該組成物は、該組成物の全質量に対して、少なくとも０．０１質量％の少なくとも１種のかかる芳香共成分を、３質量％まで含有する。芳香共成分の好ましい濃度は、液体組成物の全質量の、０．１〜２質量％の間、更に好ましくは０．２〜１．８質量％の間で含まれる。
【００２５】
本発明者らは、ここに記載された組成物に入る成分の組み合わせによって、類似タイプの従来から知られた製品よりも、驚くほど改善された布地処理製品がもたらされ、それらの瓶の外での香気の質が、悪臭を形成せずに、顕著に更に心地良く且つ安定であり、表面、特にかかる組成物で処理した布地の香気が長く続き且つよりフレッシュであるように知覚されることを確立した。
【００２６】
異なる組成物の成分、特に成分ｂ）、ｃ）及びｄ）は、純粋な形で又は香料で現在使用されている溶媒の溶液、即ち、アルコール、例えば、エタノール、プロパノール、イソプロパノール、ブタノール、プロパンジオール、オクタンジオール、フェノキシエタノール、ジプロピレングリコール中で又は水中で、並びにそれらの混合物中で使用されてよい。
【００２７】
本発明の組成物は、種々の表面、特に、布地及びテキスタイルの処理方法において有用である。かかる使用の方法では、かかる布地に付与することが望ましいそれらの芳香及び長期持続の香気効果を生成するために、それらは、洗浄及び他の布地処理方法において、手動で及び機械洗浄手順の両方で、現行通りに適用されるべきである。
【００２８】
かかる使用方法も本発明の対象である。
【００２９】
本発明はここで以下の実施例によって更に詳細に記載されており、略記は当該技術分野における通常の意味を有する。使用される式（Ｉ）の成分は、純粋な形又は時にはそれらのアルカリ（特にナトリウム及びカリウム）塩の形のいずれかで市販されており、使用されるプロフレグランス化合物ｃ）は、先行技術文献の米国特許第７，７２３，２８６号及び／又はＷＯ２００８／１５４７６５号に一般的に記載される方法によって製造された。
【００３０】
本発明の特別な実施態様
実施例１
本発明による液体布地用柔軟剤組成物の調製
組成物の成分ａ）を形成する、液体布地用柔軟剤ベースを、以下の成分を一般的に知られた方法で混合することによって調製した。
【表１】
2014511414.tif 000006
【００３１】
次の試料を、以下に示す通りに、上記の柔軟剤ベース中に、ここで以下に示した濃度（全ての質量％は最終的な組成物の全質量を基準とする）で多様な成分ｂ）〜ｄ）を完全に混合することによって、調製した：
【００３２】
試料１．１
１．８％の香料成分ｄ）、及び０．０４質量％の、２０質量％のＤＩＰＧ（ジプロピレングリコール）溶液の１，２−ベンズイソチアゾール−３（２Ｈ）−オン（硫黄含有成分ｂ））。
【００３３】
試料１．２
１．８質量％の香料成分ｄ）及び０．０３６質量％の３−（ドデシルチオ）−１−（２，６，６−トリメチル−３−シクロヘキセン−１−イル）−１−ブタノン（プロフレグランス成分ｃ））。
【００３４】
試料１．３
１．８％の香料成分ｄ）、０．０４％の１，２−ベンズイソチアゾール−３（２Ｈ）−オン（２０％のＤＩＰＧ溶液；成分ｂ））及び成分ｃ）としての０．０３６％の３−（ドデシルチオ）−１−（２，６，６−トリメチル−３−シクロヘキセン−１−イル）−１−ブタノン。
【００３５】
上記の試料を２つの異なる試験にかけた。
【００３６】
保存試験：
試料１．１、それぞれの１．２又は１．３を、３℃、２２℃、３７℃及び４３℃で９０日まで瓶に保存した。２２℃、３７℃及び４３℃で保存した試料を、３０日及び９０日後に、３℃で保存した試料と比較して評価し、それらの瓶の外での香気を評価者の一団によって盲検法で評価し、次のように、１〜５段階の評価に従って評点を付けた：１＝変化なし；２＝僅かな香気の変化；３＝許容される香気の変化；４＝強い香気の変化、許容できない、僅かな悪臭が認められる；５＝非常に強い香気の変化、許容できない強い悪臭（全ての変化は３℃で保存した試料に対するものである）。
【００３７】
洗浄試験：
３５ｇの試料１．１、それぞれの１．２又は１．３をＭｉｅｌｅ（登録商標）洗濯機型Ｗ３００−ＣＨ３３の布地用柔軟剤の区画に添加した。洗濯機に、２ｋｇの標準的な綿テリータオル（それぞれ約４０ｇの、２５ｃｍ×２５ｃｍの５０枚のタオル）を装入した。洗濯機を４０℃の短いサイクルのプログラムを用いて運転した。洗浄されたタオルを２４時間ライン乾燥させ、次いでアルミニウム箔にゆるく包んで保存した。タオルを洗浄して３日後と７日後に評価し（保存試験毎に同じ一団と盲検条件）、布地から知覚される香気の強さは以下の７段階評価を用いて評価した：１＝香気なし、２＝弱い香気、３＝やや弱い香気、４＝中程度の香気、５＝やや強い香気、６＝強い香気、７＝非常に強い香気。
【００３８】
成分ｄ）として異なる香料を用いる第２の実験では、以下に示した化合物を、挙げられた濃度で、柔軟剤ベースに混合することによって調製した、以下の試料２．１〜４．２を用いて同様の試験を行った。
【００３９】
試料２．１
１．８質量％の香料成分ｄ）及び０．０４％の１，２−ベンズイソチアゾール−３（２Ｈ）−オン（ＤＩＰＧの２０％溶液；成分ｂ））。
【００４０】
試料２．２
１．８質量％の香料成分ｄ）及び０．０３６質量％の成分ｃ）としての３−（ドデシルチオ）−１−（２，６，６−トリメチル−３−シクロヘキセン−１−イル）−３−ブタノン。
【００４１】
試料２．３
１．８質量％の香料成分ｄ）、０．０４質量％の１，２−ベンズイソチアゾール−３（２Ｈ）−オン（２０％のＤＩＰＧの溶液；成分ｂ））、及び０．０３６質量％の成分ｃ）としての４−（ドデシルチオ）−４−（２，６，６−トリメチルシクロヘキサ−２−エン−１−イル）−２−ブタノン。
【００４２】
試料３．１
１．８質量％の香料成分ｄ）及び０．０７２質量％の成分ｃ）としての４−（ドデシルチオ）−４−（２，６，６−トリメチルシクロヘキサ−２−エン−１−イル）−２−ブタノン。
【００４３】
試料３．２
１．８質量％の香料成分ｄ）、０．０４質量％の１，２−ベンズイソチアゾール−３（２Ｈ）−オン（２０％のＤＩＰＧ溶液；成分ｂ））、及び０．０７２質量％の成分ｃ）としての３−（ドデシルチオ）−１−（２，６，６−トリメチル−３−シクロヘキセン−１−イル）−３−ブタノン。
【００４４】
試料４．１
１．８質量％の香料成分ｄ）及び０．０４８質量％の成分ｃ）としてのメチル２−（４−オキソ−４−（２，６，６−トリメチルシクロヘキサ−３−エン−１−イル）ブタン−２−イルアミノ）−３−（４−オキソ−４−（２，６，６−トリメチルシクロヘキサ−３−エン−１−イル）ブタン−２−イルチオ）プロパネート。
メチル２−（４−オキソ−４−（２，６，６−トリメチルシクロヘキサ−３−エン−１−イル）ブタン−２−イルアミノ）−３−（４−オキソ−４−（２，６，６−トリメチルシクロヘキサ−３−エン−１−イル）ブタン−２−イルチオ）プロパネートをＷＯ２００８／１５４７６５号に記載される通りに調製し且つジアステレオ異性体の混合物として得られた。高分解能ＭＳ（マルチモード，ｐｏｓ．）：理論値  Ｃ３０Ｈ５０ＮＯ４Ｓ［Ｍ＋Ｈ］＋  ５２０．３４５５及びＣ３０Ｈ４９ＮＯ４ＳＮａ［Ｍ＋Ｎａ］＋  ５４２．３２７５；実測値  ５２０．３４５７及び５４２．３２５７。
【００４５】
試料４．２
１．８質量％の香料成分ｄ）、０．０４質量％の１，２−ベンズイソチアゾール−３（２Ｈ）−オン（２０％のＤＩＰＧ溶液；成分ｂ））、及び０．０４８質量％の成分ｃ）としてのメチル２−（４−オキソ−４−（２，６，６−トリメチルシクロヘキサ−３−エン−１−イル）ブタン−２−イルアミノ）−３−（４−オキソ−４−（２，６，６−トリメチルシクロヘキサ−３−エン−１−イル）ブタン−２−イルチオ）プロパネート。
【００４６】
こうして実施された全ての評価の結果を第１表に示す。
【表２】
2014511414.tif 000007
【００４７】
試料１．１〜１．３の比較は、異なるプロフレグランス成分が、布地から知覚される香気の強さ並びに保存された試料の香気の質に及ぼす影響を示す。試料１．１が布地からの低い香気の強さと保存された試料の許容される香気の質を示す一方で、試料１．２及び１．３は布地からのより高い香気の強さを示したが、試料１．３のみが本発明によって保存後に許容される香気の質を示した。
【００４８】
これらの結果は、異なる香料組成物及び異なるプロフレグランス分子を試料２．１〜４．２で使用する時に確認された。更に、本発明の試料２．３、３．２及び４．２による試料のみが高い香気強さを乾燥布地の上で示し且つ保存後に許容される香気の質を有する。
【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
ａ）表面の処理を意図した液体ベース；
ｂ）以下の式
【化１】
2014511414.tif 000011
（式中、Ｒ１及びＲ２は、別々に且つ互いに独立して、水素原子、ハロゲン原子、Ｃ１〜Ｃ４直鎖状又は分枝鎖状のアルキル基、アミノ基又はベンジルアミノ基を表すか；あるいは、Ｒ１及びＲ２は一緒になってフェニル環又はピリジン環を表し、場合により１〜４個のＣ１〜Ｃ４直鎖状又は分枝鎖状のアルキル基又はアルケニル基及び／又は１〜２個のハロゲン原子で置換され；且つ
Ｒ３は水素原子、アルカリ金属原子、場合により１個又は２個のハロゲン原子及び／又は１つ又は２つのメチル、トリフルオロメチル、メトキシ又はアミノ基で置換されたフェニル基又はベンジル基、アミン基、又は場合により１個又は２個の窒素、酸素又はハロゲン原子で置換されたＣ１〜Ｃ８不飽和の、直鎖状の、分枝鎖状の又は環状の炭化水素基を表す）
の少なくとも１種の硫黄含有化合物；
ｃ）少なくとも１種の硫黄含有プロフレグランス化合物；及び
ｄ）１種以上の芳香共成分；
を含む液体組成物であって、１〜８の間のｐＨを有する、前記組成物。
【請求項２】
成分ａ）〜ｄ）の混合物からなることを特徴とする、請求項１に記載の組成物。
【請求項３】
成分ａ）が液体柔軟剤ベース又は万能洗剤ベースであることを特徴とする、請求項１又は２に記載の組成物。
【請求項４】
６より低いｐＨを特徴とする、請求項１又は２に記載の組成物。
【請求項５】
成分ａ）が組成物の全質量の少なくとも９０質量％を表すことを特徴とする、請求項１から４までのいずれか１項に記載の組成物。
【請求項６】
前記組成物が、Ｒ１及びＲ２が、別個に且つ互いに独立して、水素原子、塩素原子又はメチル基を表すか、あるいは、Ｒ１及びＲ２が一緒になってフェニル環を表し、且つＲ３が水素原子又はメチル基を表す式（Ｉ）の成分ｂ）を含むことを特徴とする、請求項１から５までのいずれか１項に記載の組成物。
【請求項７】
成分ｂ）が１，２−ベンゾイソチアゾール−３（２Ｈ）−オン、４−又は５−クロロ−２−メチルイソチアゾール−３（２Ｈ）−オン及び２−メチルイソチアゾール−３（２Ｈ）−オンからなるイソチアゾロンの群から選択され、且つ好ましくは１，２−ベンゾイソチアゾール−３（２Ｈ）−オンであることを特徴とする、請求項６に記載の組成物。
【請求項８】
成分ｂ）が組成物の全質量の０．０００１質量％〜５質量％の間の濃度で存在することを特徴とする、請求項６又は７に記載の組成物。
【請求項９】
成分ｂ）が組成物の全質量に対して０．００１〜３質量％の間の濃度で存在することを特徴とする、請求項８に記載の組成物。
【請求項１０】
成分ｃ）が以下の式
【化２】
2014511414.tif 000012
（式中、
Ｙは、それらの可能な異性体形のうちいずれか１つの形で、以下に示した基（Ｙ−１）〜（Ｙ−７）
【化３】
2014511414.tif 000013
の群の中から選択される基を表し、波線はＹ−Ｓ結合の位置を表し且つ点線は単結合又は二重結合の位置を表し；
Ｇは、２〜１５個の炭素原子を有する直鎖状又は分枝鎖状のアルキル基又はアルケニル基から誘導され、場合により−ＯＲ４、−ＮＲ４２、−ＣＯＯＲ４及びＲ４基からなる群から選択される１つ以上の基で置換され、その際、Ｒ４は水素原子又はＣ１〜Ｃ６アルキル又はアルケニル基を表す、二価又は三価の基を表し；且つ
Ｑは水素原子、−Ｓ−Ｙ基又は−ＮＲ５−Ｙ基を表し、Ｙは上のように規定され且つＲ５は水素原子又はメチル基を表す）
のうち少なくとも１種の化合物であることを特徴とする、請求項１から９までのいずれか１項に記載の組成物。
【請求項１１】
成分ｃ）が式（ＩＩ）の化合物であり、その際、Ｇが、２〜１５個の炭素原子を有する直鎖状又は分枝鎖状のアルキル基又はアルケニル基から誘導され、場合によりＲ４が請求項１０に規定される−ＣＯＯＲ４基で置換される、二価の基であることを特徴とする、請求項１０に記載の組成物。
【請求項１２】
成分ｃ）が式（ＩＩ）の化合物であり、その際、Ｇが、８〜１５個の炭素原子を有する直鎖状のアルキル基から誘導される二価の基、又はＲ４が水素原子、メチル基又はエチル基である−ＣＨ２ＣＨ（ＣＯＯＲ４）基であることを特徴とする、請求項１０に記載の組成物。
【請求項１３】
成分ｃ）が、式（ＩＩ）の化合物であり、その際、Ｙが、請求項１０に規定されるＹ−１、Ｙ−２又はＹ−３基のうちいずれか１つであることを特徴とする、請求項１０から１２までのいずれか１項に記載の組成物。
【請求項１４】
プロフレグランス成分が、メチル又はエチル２−（４−オキソ−４−（２，６，６−トリメチルシクロヘキサ−３−エン−１−イル）ブタン−２−イルアミノ）−３−（４−オキソ−４−（２，６，６−トリメチルシクロヘキサ−３−エン−１−イル）ブタン−２−イルチオ）プロパネート、メチル又はエチル２−（４−オキソ−４−（２，６，６−トリメチルシクロヘキサ−２−エン−１−イル）ブタン−２−イルアミノ）−３−（４−オキソ−４−（２，６，６−トリメチルシクロヘキサ−２−エン−１−イル）ブタン−２−イルチオ）プロパネート、メチル又はエチル２−（２−オキソ−４−（２，６，６−トリメチルシクロヘキサ−１−エン−１−イル）ブタン−４−イルアミノ）−３−（２−オキソ−４−（２，６，６−トリメチルシクロヘキサ−１−エン−１−イル）ブタン−４−イルチオ）プロパネート、メチル又はエチル２−（２−オキソ−４−（２，６，６−トリメチルシクロヘキサ−２−エン−１−イル）ブタン−４−イルアミノ）−３−（２−オキソ−４−（２，６，６−トリメチルシクロヘキサ−２−エン−１−イル）ブタン−４−イルチオ）プロパネート、３−（ドデシルチオ）−１−（２，６，６−トリメチルシクロヘキサ−３−エン−１−イル）−１−ブタノン、３−（ドデシルチオ）−１−（２，６，６−トリメチルシクロヘキサ−２−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン、２−ドデシルスルファニル−５−メチル−ヘプタン−４−オン、２−シクロヘキシル−１−ドデシルスルファニル−ヘプト−６−エン−３−オン及び３−（ドデシルチオ）−５−イソプロペニル−２−メチルシクロヘキサノンからなる群から選択されることを特徴とする、請求項１０から１３までのいずれか１項に記載の組成物。
【請求項１５】
プロフレグランス成分が、３−（ドデシルチオ）−１−（２，６，６−トリメチルシクロヘキサ−３−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン及び３−（ドデシルチオ）−５−イソプロペニル−２−メチルシクロヘキサノンからなる群から選択され、且つ好ましくは３−（ドデシルチオ）−１−（２，６，６−トリメチルシクロヘキサ−３−エン−１−イル）−１−ブタノンであることを特徴とする、請求項１４に記載の組成物。
【請求項１６】
成分ｄ）が、組成物の全質量に対して、０．０１質量％〜３質量％の間の濃度で存在することを特徴とする、請求項１から１５までのいずれか１項に記載の組成物。
【請求項１７】
表面を、洗浄及び／又は柔軟化するための方法であって、前記表面を、一般的に知られた方法で、請求項１から１６までのいずれか１項に記載の組成物を用いて処理することを特徴とする、前記方法。
【国際調査報告】
2014511414.tif 000014
2014511414.tif 000015